(57)【要約】【課題】支柱の太さが変わっても取り付けることができることで設置性を確保しつつ、筒状の本体内に機器類を設置することで作業性を向上させることが可能な照明装置を提供する。【解決手段】照明装置１は、支柱Ｐを軸心として装着され、筒状に形成された装置本体２と、装置本体２の外周面に設けられた太陽光発電パネル３と、太陽光発電パネル３の電力により点灯する照明部と、装置本体２に内蔵され、照明部の照光を制御する制御装置５と、装置本体２の内側面と、装置本体２の軸心に位置する支柱Ｐとの間に、支柱Ｐを中心として半径方向に３本配置された支持部材６と、支持部材６の支柱側端部を連結して支柱Ｐに巻回されるバンド部材７とを備えている。この支持部材６は、制御装置５の設置位置における間隔が、他の間隔より広く、１８０°の角度で配置されている。【選択図】図３
2011181349.tif 000002
【特許請求の範囲】
【請求項１】
支柱を軸心として装着され、筒状に形成された装置本体と、
前記装置本体の外周面に設けられた太陽光発電パネルと、
前記太陽光発電パネルの電力により点灯する照明部と、
前記装置本体に内蔵され、前記照明部の照光を制御する制御装置と、
前記装置本体の内側面と、前記装置本体の軸心に位置する支柱との間に、前記支柱を中心として半径方向に２以上配置された支持部材と、
前記支持部材の支柱側端部を連結して前記支柱に巻回されるバンド部材とを備え、
前記それぞれの支持部材は、前記制御装置が設置されているところの間隔が、他の間隔より広く配置されていることを特徴とする照明装置。
【請求項２】
前記支持部材が３以上配置されている場合、前記制御装置が設置されているところの間隔が、約１８０°に配置されている請求項１記載の照明装置。
【請求項３】
前記装置本体には、扉部が設けられ、
前記制御装置の設置位置は、前記扉部側に位置している請求項１または２記載の照明装置。
【請求項４】
前記装置本体には、前記照明部の前記装置本体の筒下端内からの進退度合いを調整する調整機構が設けられている請求項１から３のいずれかの項に記載の照明装置。
【発明の詳細な説明】
【技術分野】
【０００１】
本発明は、筒状の装置本体が支柱の上部に設けられ、装置本体の外周面に太陽光発電パネルが設けられた照明装置に関するものである。
【背景技術】
【０００２】
従来の照明装置として、筒状に太陽光発電パネルを形成し、そのパネルを支柱に取り付けたものが知られている（例えば特許文献１，２参照）。
特許文献１に記載の太陽光発電装置は、六角柱の形状を有する太陽光パネル支持部と、太陽光パネル支持部の側面に設けられ、太陽光により発電を行う太陽光パネルと、太陽光パネルにより発電した電力を消費する照明灯とを有するものである。この特許文献１の太陽光発電装置は、支柱の基部の直径が先端部より大きい部分に、蓄電池やコントローラなどの機器類が内蔵されている。
また、特許文献２に記載の太陽電池装置を具備した照明装置は、円筒状の受光部の外周面に太陽光発電パネルを設け、この受光部を内面三箇所にして等間隔の位置に設けられた当接部と、当接部を外側から被嵌されるバンド体とにより支柱部に締め付け固定されている。バンド体により支柱に締め付け固定することで、径小の支柱や径大の支柱であっても容易に取り付けることができる。
【先行技術文献】
【特許文献】
【０００３】
【特許文献１】特開２００７−１０３８０６号公報
【特許文献２】特開２００９−９９１３号公報
【発明の概要】
【発明が解決しようとする課題】
【０００４】
しかし、この特許文献１に記載の太陽光発電装置では、支柱に蓄電池やコントローラが内蔵されるため、支柱に太陽光発電パネルを取り付けた後に蓄電池やコントローラとのそれぞの結線が必要であり、作業性が悪い。
また、特許文献２に記載の照明装置では、支柱の直径が多少違っていても取り付けることができるが、直径が太い支柱に取り付ける場合には太陽光発電パネルが設けられた筒内のスペースが狭くなってしまうため、筒状の本体内に蓄電池やコントローラを内蔵させようとしても困難である。
【０００５】
そこで本発明は、支柱の太さが変わっても取り付けることができることで設置性を確保しつつ、筒状の本体内に機器類を設置することで作業性を向上させることが可能な照明装置を提供することを目的とする。
【課題を解決するための手段】
【０００６】
本発明の照明装置は、支柱を軸心として装着され、筒状に形成された装置本体と、前記装置本体の外周面に設けられた太陽光発電パネルと、前記太陽光発電パネルの電力により点灯する照明部と、前記装置本体に内蔵され、前記照明部の照光を制御する制御装置と、前記装置本体の内側面と、前記装置本体の軸心に位置する支柱との間に、前記支柱を中心として半径方向に２以上配置された支持部材と、前記支持部材の支柱側端部を連結して前記支柱に巻回されるバンド部材とを備え、前記それぞれの支持部材は、前記制御装置が設置されているところの間隔が、他の間隔より広く配置されていることを特徴とする。
【０００７】
本発明によれば、バンド部材が２以上配置された支持部材の支柱側端部を連結しているので、支柱の太さが変わっても、本発明の照明装置を取り付けることができる。この支持部材は、制御装置が設置されているところの間隔が、他の間隔より広く配置されていることにより、制御装置を設置するためのスペースを確保することができるので、制御装置を装置本体内に配置することができる。従って、照明装置をコンパクトにまとめることができるだけでなく、作業性の向上を図ることができる。
【０００８】
前記支持部材が３以上配置されている場合、前記制御装置が設置されているところの間隔が、約１８０°に配置されていると、残りの約１８０°の間に、他の支持部材が配置されることになるので、制御装置の設置スペースを確保しつつ、装置本体の保持力を確保することができる。
【０００９】
前記装置本体には、扉部が設けられ、前記制御装置の設置位置は、前記扉部側に位置していると、制御装置の設置およびメンテナンスが容易なので、更に作業性を向上させることができる。
【００１０】
前記装置本体には、前記照明部の前記装置本体の筒下端内からの進退度合いを調整する調整機構が設けられていると、設置場所に応じて照明部からの照光範囲を調整することができる。
【発明の効果】
【００１１】
本発明は、支持部材が、制御装置の設置位置における間隔を、他の間隔より広く配置したことにより、制御装置を設置するためのスペースを確保することができるので、制御装置を装置本体内に配置することができる。従って、支柱の太さが変わっても取り付けることができることで設置性を確保しつつ、筒状の本体内に機器類を設置することで作業性を向上させることができる。
【図面の簡単な説明】
【００１２】
【図１】本発明の実施の形態に係る照明装置を支柱に装着した状態を示す正面図である。
【図２】図１に示す照明装置の底面図である。
【図３】図１に示す照明装置の水平断面図である。
【図４】図２に示す照明装置の一部拡大図である。
【図５】図１に示す照明装置の垂直断面図である。
【図６】図５に示す照明装置の一部拡大図である。
【図７】図５に示す照明装置の制御装置を取り付ける取付板を説明するための図である。
【図８】図５に示す照明装置の照明部が装置本体から覗いた状態を示す一部拡大図である。
【図９】図５に示す照明装置の照明部が装置本体へ収納された状態を示す一部拡大図である。
【発明を実施するための形態】
【００１３】
本発明の実施の形態に係る照明装置を図１から図９に基づいて説明する。なお、図５においては、制御装置を取り付けるための取付板は省略している。
図１から図３に示す照明装置１は、団地やマンションなどの集合住宅、道路傍、公園などに設置される外灯である。照明装置１は、支柱Ｐを軸心として支柱Ｐの上部に貫設されている。照明装置１は、筒状の装置本体２と、装置本体２の外側面に装着された太陽光発電パネル３と、装置本体２の下端に設けられた照明部４と、制御装置５とを備えている。
【００１４】
装置本体２は、長尺矩形状の板材を折り曲げて筒状に形成したものである。本実施の形態では、装置本体２を水平断面が略正六角形状となるようにしている。装置本体２には、正六角形のうち２辺（２面）が扉部２１として開閉する。
【００１５】
太陽光発電パネル３は、それぞれが太陽光により電力出力する板状のパネル材を直列接続して装置本体２に取り付けられている。
照明部４は、六角形状のリング状に形成された外形で、ＬＥＤ４１が基板４２に配置され、カバー４３により覆われている。
【００１６】
制御装置５は、太陽光発電パネル３からの出力電圧を、蓄電池（図示せず）を充電するための電圧に変換する電圧変換機能と、周囲が暗くなったことを契機に照明部４を点灯したり、周囲が明るくなったことを契機に照明部４を消灯したりする点灯制御機能などを備えたコントローラ（図示せず）が内蔵されている。また、蓄電池の大きさが小さければ制御装置５の筐体内に蓄電池を収納することも可能である。
【００１７】
ここで、装置本体２が支柱Ｐに取り付けられている取付構造について、図３から図６に基づいて説明する。
装置本体２は、支持部材６と、バンド部材７とにより支柱Ｐに固定されている。支持部材６は、装置本体２の内側面と、装置本体２の軸心に位置する支柱Ｐとの間に、支柱Ｐを中心として半径方向に３つを一組として、上端と下端と中央部との上下方向に３つ配置されている。
支持部材６は、本体側共通部材６１と、支柱側共通部材６２と、間隔調整部材６３と、固定部材６４とを備えている。
【００１８】
本体側共通部材６１は、装置本体２の上部から下部に至るまでの長さに形成された第１共通部材６１１と、第１共通部材６１１の上端と下端と中央部とのそれぞれに設けられた第１突片板６１２とを備えている。第１突片板６１２には、貫通孔が設けられている。
第１共通部材６１１は、角部２２に配置される場合には角部２２を挟む２面に接する曲折板６１１ａに形成され、内側面に全体が接するように配置される場合には、一枚の平板６１１ｂに形成される。
【００１９】
支柱側共通部材６２は、装置本体２の上部から下部に至るまでの長さに形成された第２共通部材６２１と、第２共通部材６２１と同様に装置本体２の上部から下部に至るまでの長さに形成された第２突片板６２２とを備えている。第２突片板６２２は、第２共通部材６２１に垂直に立設され、ボルトを挿通させるための貫通孔が設けられている。また、第２突片板６２２の基端部には、バンド部材７を挿通させるための長孔６２２ａが設けられている。この長孔６２２ａは支柱Ｐに沿って形成されている。第２共通部材６２１は、支柱Ｐの円弧面に沿って折り曲げられた曲折板に形成されている。
間隔調整部材６３は、長さ方向に沿ってスライド孔である長孔６３１が設けられ、第１突片板６１２と第２突片板６２２とを挟む２枚の板材により形成されている。
固定部材６４は、第１突片板６１２と第２突片板６２２と間隔調整部材６３の長孔６３１に挿通させる２本のボルト６４１と、ボルト６４１に螺合させるナット６４２とから形成される。
【００２０】
図７に示すように、中央部および下端に位置する支持部材６には、断面略コ字状の制御装置５の取付板８が第１突片板６１２を止めるボルト６４１およびナット６４２と共にねじ止めされている。
図３および図６に示すバンド部材７は、円周方向に第２突片板６２２の長孔６２２ａを挿通するバンド体７１と、バンド体７１をきつく締めた後に緩まないようにバンド体７１を止めるバンド留め具７２とから形成されている。
【００２１】
このように構成された取付構造の取付方法について、図面に基づいて説明する。
予め支柱Ｐの太さを考慮した長さに間隔調整部材６３を調整して、固定部材６４であるボルト６４１とナット６４２とを仮止めしておく。
扉部２１を開けた状態で装置本体２を支柱Ｐに被せ、対向する第２共通部材６２１の間に支柱Ｐを位置させる。次に、バンド体７１を第２突片板６２２の長孔６２２ａに挿通させて、間隔調整部材６３を調整しながら、バンド体７１をきつく締めた後にバンド留め具７２でバンド体７１が緩まないように固定する。そして、間隔調整部材６３を固定するボルト６４１とナット６４２とを本止めする。
【００２２】
そして、制御装置５を取り付けるための取付板８（図４および図７参照）を取り付け、太陽光発電パネル３および照明部４との配線を行う。これらの配線は全て装置本体２内で行うことができるので見栄えがよい。従って、意匠性の高い照明装置とすることができる。
【００２３】
このようにして装置本体２を支柱Ｐに固定することができるので、太さが異なる支柱Ｐであっても、間隔調整部材６３で装置本体２と支柱Ｐとの間隔を調整しながらバンド部材７を支柱Ｐに締め付けることにより、装置本体２を固定することができる。また、制御装置５と太陽光発電パネル３および照明部４との配線が装置本体２内で行うことができる。また、制御装置５内に蓄電池を内蔵している場合には蓄電池とコントローラとが予め結線されているので、設置作業での結線が不要である。従って、作業性の向上を図ることができる。
【００２４】
また、支持部材６を形成する部材とのうち、第１共通部材６１１と第２共通部材６２１と第２突片板６２２とを共通させていることにより部品点数を減らせるだけでなく、装置本体２の上部から下部までの全体を保持させることができるので、保持力を向上させることができる。
【００２５】
図３に示すように、支持部材６は、支柱Ｐを中心として半径方向へ装置本体２の内側面に向かって設けられている。それぞれの間隔は、角部２２へ向かう支持部材６と隣接する２つの支持部材６との間は約９０°としている。従って、制御装置５を挟む２つの支持部材６の間は約１８０°の間隔である。
【００２６】
このように支持部材６を配置することで、３つの支持部材６を等間隔に１２０°ごとに配置した場合と比較して、制御装置５の配置スペースを広く確保することができるので、制御装置５を装置本体２内に配置することができる。従って、多少、太い支柱Ｐであっても、制御装置５を装置本体２内に配置することで、照明装置１をコンパクトにまとめることができる。また、制御装置５の設置位置を除く支持部材６の間隔を均等に配置したことで、支持部材６により偏り無く装置本体２を支持させることができる。
【００２７】
また、制御装置５は、扉部２１側に設けられているため、扉部２１を開ければすぐに制御装置５についての作業を行うことができるので、制御装置５の設置およびメンテナンスが容易なので、更に作業性を向上させることができる。
【００２８】
次に、照明部４の取付構造について、図８および図９に基づいて説明する。
照明部４は、装置本体２の下端に、進退度合いを調整することができる調整機構９により設置されている。
調整機構９は、装置本体２の下部の内側面に設けられたＬ字板９１と、照明部４の上面に螺合すると共に、Ｌ字板９１に挿通する長ボルト９２と、Ｌ字板９１との固定を取るボルト９３とにより形成されている。この長ボルト９２の先端側には、照明部４との固定を取るボルト９４とが螺合されている。
【００２９】
長ボルト９２の上部にてボルト９３を固定することで、Ｌ字板９１からの長ボルト９２の長さを長く位置させることができるので、照明部４を装置本体２の下端からのぞかせることができるので、照明部４の照光範囲を広い範囲とすることができる。また、長ボルト９２の下部にてボルト９３を固定することで、装置本体２の内部に照明部４を位置させることができるので、照明部４の照光範囲を狭いものとすることができる。
【００３０】
このように、照明部４を装置本体２の筒下端内から進退させる調整機構９を備えることで、支柱Ｐが設置されている場所に応じて、照明部４の照光範囲を調整することができるので、照明装置１の設置場所の制限を少なくすることができる。
【００３１】
以上、本発明の実施の形態について説明してきたが、本発明は前記実施の形態に限定されるものではない。例えば、本実施の形態では支持部材６を半径方向に３つ設けられているが２つでも４つ以上でもよい。例えば、支持部材６が２つの場合には、制御装置５の設置位置の間隔を約１８０°より広い間隔とすることができる。また、４つの場合には、９０°より広い間隔とすることができる。しかし、支持部材６を４つ設ける場合には、制御装置５を設置するためのスペースを広く確保するためには、支持部材６を約１８０°より広い間隔として、他の間隔を約６０°より狭い間隔で均等に配置するのが偏り無く装置本体２を保持させることができるので望ましい。
また、装置本体２は水平断面が正六角形状に形成されているが、円形状でも他の多角形状でもよい。
【産業上の利用可能性】
【００３２】
本発明は、コンパクトで、意匠性が高く、かつ作業性が高いので、団地やマンションなどの集合住宅、道路傍、公園などに設置される外灯に好適である。
【符号の説明】
【００３３】
１  照明装置
２  装置本体
２１  扉部
２２  角部
３  太陽光発電パネル
４  照明部
４１  ＬＥＤ
４２  基板
４３  カバー
５  制御装置
６  支持部材
６１  本体側共通部材
６１１  第１共通部材
６１１ａ  曲折板
６１１ｂ  平板
６１２  第１突片板
６２  支柱側共通部材
６２１  第２共通部材
６２２  第２突片板
６２２ａ  長孔
６３  間隔調整部材
６３１  長孔
６４  固定部材
６４１  ボルト
６４２  ナット
７  バンド部材
７１  バンド体
７２  バンド留め具
８  取付板
９  調整機構
９１  Ｌ字板
９２  長ボルト
９３，９４  ボルト
Ｐ  支柱
【図１】
2011181349.tif 000003
【図２】
2011181349.tif 000004
【図３】
2011181349.tif 000005
【図４】
2011181349.tif 000006
【図５】
2011181349.tif 000007
【図６】
2011181349.tif 000008
【図７】
2011181349.tif 000009
【図８】
2011181349.tif 000010
【図９】
2011181349.tif 000011